(57)【要約】【課題】  積み重ねることにより収容空間を増減できる収容装置を提供する。【解決手段】  一端に開口を有する中空の本体を有し、開口の底側に枢設部材に介して開閉自在の蓋が設けられ、蓋の外縁にフック部が設置されると共に、開口の上側に蓋のフック部と係脱できる係合部材が設けられる収容装置において、前記本体の上面に接合上部が設けられると共に、下面に該接合上部と対応する接合下部が設けられることにより、複数の本体を上下に積み重ねることを特徴とする。【選択図】  図１
0003106400.tif 000002
【実用新案登録請求の範囲】
【請求項１】
一端に開口を有する中空の本体を有し、開口の底側に枢設部材に介して開閉自在の蓋が設けられ、蓋の外縁にフック部が設置されると共に、開口の上側に蓋のフック部と係脱できる係合部材が設けられる収容装置において、
前記本体の上面に接合上部が設けられると共に、下面に該接合上部と対応する接合下部が設けられることにより、複数の本体を上下に積み重ねることを特徴とする収容装置。
【請求項２】
前記本体の内部に分隔板が設けられることにより、本体の収容空間が少なくとも二つに分隔され、本体の内壁に該分隔板を支持するため支持部材が設けられることを特徴とする請求項1に記載の収容装置。
【請求項３】
前記本体の下面に接合下部と組合すると共に、支持板を有するコ字形のベースが設けられ、該支持板に接合下部と組合可能の組合溝を形成することを特徴とする請求項１又は2に記載の収容装置。
【考案の詳細な説明】
【技術分野】
【０００１】
本考案は、特に積み重ねることにより収容空間を増減できる収容装置に関するものである。
【背景技術】
【０００２】
従来の収容装置は、例えばゴミ箱や靴入れ等、一定の収容空間を有する本体を有し、本体の内部にゴミ又は靴を収容することができる。
【考案の開示】
【考案が解決しようとする課題】
【０００３】
しかしながら、前記従来の収容装置は収容するものを増やす場合、収容空間を増大することができなく、又、該収容装置がゴミ箱である場合、一つの収容空間に分類したゴミを収容することができないため、非常に不便である。
そこで、案出されたのが本考案であって、積み重ねることにより収容空間を増減できる収容装置を提供することを目的としている。
【課題を解決するための手段】
【０００４】
本願の請求項１の考案は、一端に開口を有する中空の本体を有し、開口の底側に枢設部材に介して開閉自在の蓋が設けられ、蓋の外縁にフック部が設置されると共に、開口の上側に蓋のフック部と係脱できる係合部材が設けられる収容装置において、
前記本体の上面に接合上部が設けられると共に、下面に該接合上部と対応する接合下部が設けられることにより、複数の本体を上下に積み重ねることを特徴とする収容装置及び、
本願の請求項２の考案は、前記本体の内部に分隔板が設けられることにより、本体の収容空間が少なくとも二つに分隔され、本体の内壁に該分隔板を支持するため支持部材が設けられることを特徴とする請求項1に記載の収容装置及び、
本願の請求項３の考案は、前記本体の下面に接合下部と組合すると共に、支持板を有するコ字形のベースが設けられ、該支持板に接合下部と組合可能の組合溝を形成することを特徴とする請求項１又は2に記載の収容装置、を提供する。
【考案の効果】
【０００５】
本考案は上記の課題を解決するものであり、本体の上、下面に設けられる接合上部及び接合下部の組合により、収容装置の収容空間を簡単に増減することができ、非常に便利である。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１は本考案に係る収容装置の分解斜視図であり、図２は本考案に係る収容装置の他の実施例を示す分解斜視図であり、図３は本考案に係る収容装置の使用状態を示す断面図であり、図４は本考案に係る収容装置を積み重ねた状態を示す斜視図であり、図５は図４に示す積み重ねた状態の一部正面図であり、図６は図４に示す積み重ねた状態の一部側面図である。
図１、図４乃至図６に示すように、本考案に係る収容装置は一端に開口（１１）を有する中空の本体（１０）を有し、開口（１１）の底側に枢設部材に介して開閉自在の蓋（１２）が設けられ、蓋（１２）の外縁にフック部（１２１）が設置されると共に、開口（１１）の上側に蓋（１２）のフック部（１２１）と係脱できる係合部材（１３）が設けられ、又、該フック部（１２１）及び係合部材（１３）は従来の係脱用装置であるため、詳細な説明を省略する。
前記本体（１０）の上面に接合上部（１７）が設けられると共に、下面に該接合上部（１７）と対応する接合下部（１８）が設けられることにより、複数の本体（１０）を上下に積み重ねることができる。
前記接合上部（１７）の両側に夫々案内ブロック（１７１）が設けられ、接合下部（１８）に案内ブロック（１７１）の外側と係合する係止ブロック（１８１）が設けられ、案内ブロック（１７１）の下部に接合下部（１８）の係止ブロック（１８１）と係止する係止ブロック（１７２）が設けられ、又、開口（１１）側の係止ブロック（１８１）に係止ブロック（１７２）と係止するための係止凸部（１８２）が設けられる。
前記本体（１０）の下面に接合下部（１８）と組合すると共に、支持板（１９１）を有するコ字形のベース（１９）が設けられ、該支持板（１９１）に接合下部（１８）と組合可能の組合溝（１９２）を形成することにより、一つの本体（１０）又は積み重ねた複数の本体（１０）を支持することができる。
図２及び図３に示すように、前記本体（１０）の内部に分隔板（１４）が設けられることにより、本体（１０）の収容空間が少なくとも二つに分隔される。該本体（１０）の内壁に支持部材（１５）（１６）が設けられることによって分隔板（１４）を支持する。
又、図４乃至図6に示すように、本考案に係る収容装置を積み重ねて使用する場合、本体（１０）における接合上部（１７）及び接合下部（１８）の組合により、複数の本体（１０）を積み重ねることができる。又、本体（１０）の内部に分隔板（１４）が設けられると共に、積み重ねた本体（１０）の収容空間を分隔することにより、収容するものを分類することができる。
【産業上の利用可能性】
【０００７】
本考案は上記の構成を有するので、本体の上、下面に設けられる接合上部及び接合下部の組合により、収容装置の収容空間を簡単に増減することができ、非常に便利である。
【図面の簡単な説明】
【０００８】
【図１】本考案に係る収容装置の分解斜視図である。
【図２】本考案に係る収容装置の他の実施例を示す分解斜視図である。
【図３】本考案に係る収容装置の使用状態を示す断面図である。
【図４】本考案に係る収容装置を積み重ねた状態を示す斜視図である。
【図５】図４に示す積み重ねた状態の一部正面図である。
【図６】図４に示す積み重ねた状態の一部側面図である。
【符号の説明】
【０００９】
１０  本体
１１  開口
１２  蓋
１２１  フック部
１３  係合部材
１４  分隔板
１５  支持部材
１６  支持部材
１７  接合上部
１７１  案内ブロック
１７２  係止ブロック
１８  接合下部
１８１  係止ブロック
１８２  係止凸部
１９  ベース
１９１  支持板
１９２  組合溝
【図１】
0003106400.tif 000003
【図２】
0003106400.tif 000004
【図３】
0003106400.tif 000005
【図４】
0003106400.tif 000006
【図５】
0003106400.tif 000007
【図６】
0003106400.tif 000008